(57)【要約】【課題】ユーザによる簡単な設定により１つの電話番号で２台の電話機に着信させる。【解決手段】キーテレホンシステムは、主装置１０と、これに接続される複数の電話機１１〜１４とを備える。主装置１０は、複数の電話機１１〜１４毎に、１つの内線番号で鳴動すべき対を成す親機及び子機に関するタンデムリンギング設定テーブル２４を記憶する記憶部２２と、複数の電話機１１〜１４の内、第１の電話機から第２の電話機へのタンデムリンギング設定要求を受けたときに、第１の電話機を親機とし、第２の電話機を子機として、記憶部２２にタンデムリンギング設定テーブル２４を設定し、かつ、第１の電話機に着信があったときに、タンデムリンギング設定テーブル２４に基づき第１の電話機と共に第２の電話機を着信鳴動させる制御部２１とを備える。制御部２１は、第１及び第２の電話機のうち一方が使用中のときに、その他方を使用不可とする。【選択図】  図１
2005117158.tif 000002
【特許請求の範囲】
【請求項１】
主装置と、この主装置に接続される複数の電話機とを備えたキーテレホンシステムにおいて、
前記主装置は、
前記複数の電話機毎に、１つの電話番号で鳴動すべき対を成す親機及び子機に関するデータを記憶する記憶手段と、
前記複数の電話機の内、第１の電話機から第２の電話機へのタンデムリンギング設定要求を受けたときに、前記第１の電話機を前記親機とし、前記第２の電話機を前記子機として、前記記憶手段に前記親機及び子機に関するデータを設定するタンデムリンギング設定手段と、
前記第１の電話機に着信があったときに、前記親機及び子機に関するデータに基づき前記第１の電話機と共に前記第２の電話機を着信鳴動させるタンデムリンギング制御手段とを備えたことを特徴とするキーテレホンシステム。
【請求項２】
前記タンデムリンギング制御手段は、前記第１及び第２の電話機の着信鳴動によりその一方が応答したときに、その他方の着信鳴動を停止させると共に前記親機及び子機に関するデータを更新することを特徴とする請求項１記載のキーテレホンシステム。
【請求項３】
前記タンデムリンギング制御手段は、前記第１及び第２の電話機のうち一方が使用中のときに、その他方を使用不可とするように制御することを特徴とする請求項１又は２記載のキーテレホンシステム。
【請求項４】
前記タンデムリンギング設定手段は、前記第１の電話機から前記第２の電話機へのタンデムリンギング解除要求を受けたときに、前記記憶手段に設定されている前記親機及び子機に関するデータを解除することを特徴とする請求項１から３のいずれか１項に記載のキーテレホンシステム。
【請求項５】
前記親機及び子機に関するデータは、親機及び子機の登録情報、親機及び子機の使用状態情報、及び親機及び子機の互いの相手先の電話番号を含むことを特徴とする請求項１から４のいずれか１項に記載のキーテレホンシステム。
【請求項６】
主装置と、この主装置に接続される複数の電話機とを備えたキーテレホンシステムのタンデムリンギング方法において、
前記主装置が、
前記複数の電話機毎に、１つの電話番号で鳴動すべき対を成す親機及び子機に関するデータを記憶するステップと、
前記複数の電話機の内、第１の電話機から第２の電話機へのタンデムリンギング設定要求を受けたときに、前記第１の電話機を前記親機とし、前記第２の電話機を前記子機として、前記親機及び子機に関するデータを設定するステップと、
前記第１の電話機に着信があったときに、前記親機及び子機に関するデータに基づき前記第１の電話機と共に前記第２の電話機を着信鳴動させるステップとを備えたことを特徴とするキーテレホンシステムのタンデムリンギング方法。
【請求項７】
前記主装置が、前記第１及び第２の電話機の着信鳴動によりその一方が応答したときに、その他方の着信鳴動を停止させると共に前記親機及び子機に関するデータを更新するステップをさらに有すること特徴とする請求項６記載のキーテレホンシステムのタンデムリンギング方法。
【請求項８】
前記主装置が、前記第１及び第２の電話機のうち一方が使用中のときに、その他方を使用不可とするステップをさらに有することを特徴とする請求項６又は７記載のキーテレホンシステムのタンデムリンギング方法。
【発明の詳細な説明】
【技術分野】
【０００１】
本発明は、キーテレホンシステム及びそのタンデムリンギング方法に関し、とくに１つの電話番号により対を成す２台の電話機を同時に着信鳴動させるタンデムリンギングの動作及びその設定に関する。ここで使用する「タンデムリンギング」とは、キーテレホンシステムにおいて、対を成す２台の電話機の内、一方に着信があったときにその両方を着信鳴動させることを意味する。
【背景技術】
【０００２】
従来のキーテレホンシステムには、１つの内線番号で数台の電話機に着信させる機能がある。この機能を実現するための仕組みとして、内線代表呼出による方法や、着信転送による方法等が知られている。例えば、内線代表呼出による方法は、発信者側で１つの内線代表番号をダイヤルすることで数台の電話機を同時に鳴動させるものである。また、着信転送による方法は、ある内線番号（例えば内線１００番）の電話機に着信があった場合に他の内線番号（例えば内線１０１番）の電話機に転送して着信させるものである。
【０００３】
例えば、内線代表呼出による方法として、１つの電話機を呼出中に他の複数の内線番号を順次入力操作して同時に複数の電話機を呼び出し、最初に応答した電話機との通話を可能にする内線呼出装置において、１回目に入力操作した複数の内線番号を１つの内線番号に対応付けて記憶させることにより、次回から、その１つの内線番号をダイヤルすることで、これに対応付けられた複数の内線番号の電話機を同時に呼び出すものが開示されている（特許文献１参照）。
【特許文献１】特開平０３−１５９４５４号公報
【発明の開示】
【発明が解決しようとする課題】
【０００４】
しかしながら、内線代表呼出による方法では、例えば２台の電話機だけ設定したい場合、管理者が内線番号を設定しなければならないため、効率も悪く、管理者不在の場合には、通常、設定できない。この場合、不慣れな一般ユーザが管理者と同様の設定を行うのは制約も多く、実際の運用では立場的に無理があると考えられる。
【０００５】
また、着信転送による方法の場合、例えばユーザが転送元（例えば内線１００番）の電話機で応答したい場合にもかかわらず、転送設定を無効にする操作を忘れてしまったため、その転送設定に従い転送先（例えば内線１０１番）の電話機に転送されてしまい、応答し損ねる場合がある。
【０００６】
いずれの方法も、１ユーザが内線番号および２台の電話機を独占して使用したり、あるいは一方（例えば内線１０１番）の電話機を使用中の場合に他方（例えば内線１００番）の電話機を使用不可としたりすることはできない。
【０００７】
本発明は、このような課題を解決するもので、ユーザによる簡単な設定により１つの電話番号で２台の電話機に着信させることを目的とする。
【課題を解決するための手段】
【０００８】
本発明は、キーテレホンシステムにおいて、第１の電話機が第２の電話機に対してタンデムリンギングを設定していた場合に、両電話機以外の他の電話機から第１の電話機の内線番号を呼び出して第１の電話機に着信が来たときに、第１の電話機と共にそのタンデムリンギング設定相手の第２の電話機にも着信させる、すなわち２台の電話機が１つの内線番号で着信可能とするものである。
【０００９】
本発明は、このような着想のもとに完成されたものである。
【００１０】
すなわち、本発明に係るキーテレホンシステムは、主装置と、この主装置に接続される複数の電話機とを備えたキーテレホンシステムにおいて、前記主装置は、前記複数の電話機毎に、１つの電話番号で鳴動すべき対を成す親機及び子機に関するデータを記憶する記憶手段と、前記複数の電話機の内、第１の電話機から第２の電話機へのタンデムリンギング設定要求を受けたときに、前記第１の電話機を前記親機とし、前記第２の電話機を前記子機として、前記記憶手段に前記親機及び子機に関するデータを設定するタンデムリンギング設定手段と、前記第１の電話機に着信があったときに、前記親機及び子機に関するデータに基づき前記第１の電話機と共に前記第２の電話機を着信鳴動させるタンデムリンギング制御手段とを備えたことを特徴とする。
【００１１】
本発明において、前記タンデムリンギング制御手段は、前記第１及び第２の電話機の着信鳴動によりその一方が応答したときに、その他方の着信鳴動を停止させると共に前記親機及び子機に関するデータを更新することが好ましい。また、前記タンデムリンギング制御手段は、前記第１及び第２の電話機のうち一方が使用中のときに、その他方を使用不可とするように制御することが好適である。さらに、前記タンデムリンギング設定手段は、前記第１の電話機から前記第２の電話機へのタンデムリンギング解除要求を受けたときに、前記記憶手段に設定されている前記親機及び子機に関するデータを解除してもよい。また、前記親機及び子機に関するデータは、親機及び子機の登録情報、親機及び子機の使用状態情報、及び親機及び子機の互いの相手先の電話番号を含むことが好適である。
【００１２】
本発明に係るキーテレホンシステムのタンデムリンギング方法は、主装置と、この主装置に接続される複数の電話機とを備えたキーテレホンシステムのタンデムリンギング方法において、前記主装置が、前記複数の電話機毎に、１つの電話番号で鳴動すべき対を成す親機及び子機に関するデータを記憶するステップと、前記複数の電話機の内、第１の電話機から第２の電話機へのタンデムリンギング設定要求を受けたときに、前記第１の電話機を前記親機とし、前記第２の電話機を前記子機として、前記親機及び子機に関するデータを設定するステップと、前記第１の電話機に着信があったときに、前記親機及び子機に関するデータに基づき前記第１の電話機と共に前記第２の電話機を着信鳴動させるステップとを備えたことを特徴とする。
【００１３】
本発明において、前記主装置が、前記第１及び第２の電話機の着信鳴動によりその一方が応答したときに、その他方の着信鳴動を停止させると共に前記親機及び子機に関するデータを更新するステップをさらに有することが好ましい。また、前記主装置が、前記第１及び第２の電話機のうち一方が使用中のときに、その他方を使用不可とするステップをさらに有することが好適である。
【発明の効果】
【００１４】
本発明によれば、電話機側の簡単な操作によりタンデムリンギング設定要求を出すだけで任意の電話機を効率よくかつ簡単に設定でき、これにより一つの電話番号（例えば内線番号）で２台の電話機に着信鳴動させることができる。
【００１５】
また、２台同時に着信鳴動させることができ、１ユーザが２台の電話機を独占して使用できる。
【００１６】
さらに、２台の電話機の内、一方の電話機が使用中の場合に他方の電話機を使用不可とすることも実現できる。
【発明を実施するための最良の形態】
【００１７】
以下、本発明にかかるキーテレホンシステム及びそのタンデムリンギング方法を実施するための最良の形態を図１〜図８を参照して説明する。
【実施例】
【００１８】
図１は、本実施例にかかるキーテレホンシステムの装置構成図を示す。図１に示すキーテレホンシステムは、従来よく知られている装置構成を適用したもので、主装置１０と、この主装置１０に接続される複数の電話機１１〜１４と、主装置１０に接続されるＰＨＳ（パーソナル・ハンディホン・システム）用の無線基地局（ＣＳ）１５と、この無線基地局１５に無線回線経由で接続される複数のＰＨＳ端末１６〜１６とを備える。この例では、複数の電話機２１〜２４の内線番号は、それぞれ１００番、１０１番、１０２番、…、Ｎ番に割り当てられている。また、ＰＨＳ端末１６は、図に示す例では、これら電話機１１〜１４と同様に内線電話機として機能する。
【００１９】
主装置１０は、複数の電話機１１〜１４間の内線通話、及びこれら電話機１１〜１５と図示しない外部電話機との間の外線通話をスイッチング接続可能な通話路２０と、システム全体の制御中枢を成し且つプログラム制御で動作するＣＰＵ等を有する制御部（本発明のタンデムリンギング設定手段及びタンデムリンギング制御手段を成す）２１と、制御部２１のプログラム制御で必要な制御プログラム及び制御データ（テーブル）を格納するメモリ（ＲＯＭ、ＲＡＭ）等の記憶部（本発明の記憶手段を成す）２２とを有する。
【００２０】
本発明によるキーテレホンシステムのタンデムリンギング方法は、本実施例では制御部２１の動作によるプログラム制御によって実行される。本例では、制御部２１により実行される制御プログラム及び制御データとしてのタンデムリンギング制御プログラム２３及びタンデムリンギング設定テーブル２４は、記憶部２２の所定メモリ領域に格納される。
【００２１】
図２は、記憶部２２におけるタンデムリンギングに必要なメモリ構造を成すタンデムリンギング設定テーブル２４を、図３は、そのタンデムリンギング設定テーブル２４のデータ設定例を説明するものである。
【００２２】
図２に示すタンデムリンギング設定テーブル２４のメモリ構造は、主装置１０に接続されている内線番号１００番〜Ｎ番の電話機１１〜１４毎に構成され、内線番号毎に格納されるデータとして、親機（子機）情報３１、タンデム使用状態の情報３２、及び設定相手のダイヤル番号３３を有する。以下、親機として設定された電話機のデータを「親機データ」、子機として設定された電話機のデータを「子機データ」と呼ぶ。
【００２３】
親機（子機）情報３１は、親機または子機の情報要素であり、図３に示すように、親機として設定されているのか、子機として設定されているのか、或いはいずれも設定されていないのかを示す情報である。例えば、内線１００番の電話機２１を親機とし、内線１０１番の電話機２２を子機としてタンデムリンギングの設定が行われた場合、それぞれ親機、子機の状態が記憶される。これら各状態の設定及びその判定は、図３に示すように、例えば各状態に予め割り当てられたコード番号に基づいて行われる。コード番号の割り当ての例として、例えば親機の状態を「１」、子機の状態を「２」、いずれも設定されてない状態を「０」とする場合を例示できる。
【００２４】
タンデム使用状態の情報３２は、図３に示すように、設定相手のタンデム使用中なのかどうかを判断する要素であり、どちらも使用していない状態であれば、空き（不使用）の状態の情報が記憶され、親機が使用している場合は、親機データ側に自分が使用中であるという状態が、また子機データ側に親機が使用中という状態が記憶され、これと逆に子機が使用している場合は、親機データ側に子機が使用中であるという状態が、また子機データ側に自分が使用中であるという状態が記憶される。これら各状態の設定及びその判定は、図３に示すように、例えば各状態に予め割り当てられたコード番号に基づいて行われる。コード番号の割り当ての例として、例えば自分が使用している状態を「１」、設定相手が使用している状態を「２」、空きの状態を「０」とする場合を例示できる。
【００２５】
設定相手のダイヤル番号３３は、タンデムリンギング設定相手のダイヤル情報要素である。例えば、前述の親機（子機）情報３１の例では、親機である内線１００番においては、子機である内線１０１番のダイヤルデータが記憶され、子機の内線１０１番においては親機のダイヤルデータが記憶される。
【００２６】
次に、本実施例の動作を説明する。
【００２７】
最初に、タンデムリンギングの設定方法について、図４に示す状態遷移図を参照して説明する。ここでは、内線１００番の電話機１１（第１の電話機）が内線１０１番の電話機１２（第２の電話機）をタンデムリンギングの相手として設定する場合を説明する。
【００２８】
まず、内線１００番の電話機１１側でタンデムリンギングの設定を行うため、ユーザが所定のサービスコード（予め設定されたタンデムリンギング特番）をダイヤルし（ステップＳ１）、そのサービスコードのダイヤル信号を制御部２１に送る（ステップＳ２）。これに応答して、制御部２１は、タンデムリンギング制御プログラム２３を実行し、待機状態となる。
【００２９】
次いで、内線１００番の電話機１１側でタンデムリンギングの設定あるいは解除の操作（例えば、設定の場合は「１」、解除の場合は「０」をダイヤル）を行い（ステップＳ３）、例えば設定を選択した場合は子機として設定したい電話機１２の内線番号１０１をダイヤルし（ステップＳ４）、このダイヤル信号を含むタンデムリンギング設定（解除）要求を制御部２１に送り（ステップ５）、応答待ち状態となる（ステップＳ６）。これに応答して、制御部２１は、記憶部２２のタンデムリンギング設定テーブル２４上のデータ設定状態を参照し、設定可能な状態であれば、内線１０１番のデータを子機データ（親機（子機）情報３１：子機、タンデム使用状態の情報３２：不使用、設定相手のダイヤル番号３３：内線１００番のダイヤルデータ）として設定する（ステップＳ７）。
【００３０】
上記子機データの設定が完了すると、制御部２１は、設定（解除）完了の通知を内線１００の電話機１１に送り（ステップＳ８）、記憶部２２のタンデムリンギング設定テーブル２４上で、内線１００番のデータを親機データ（親機（子機）情報３１：親機、タンデム使用状態の情報３２：不使用、設定相手のダイヤル番号３３：内線１０１番のダイヤルデータ）として設定する（ステップＳ９）。
【００３１】
上記タンデムリンギングの設定を解除する場合、上記と同様に、内線１００番の電話機１１側で解除の操作を行い、内線１０１番の子機データおよび内線１００の親機データがそれぞれ解除される。
【００３２】
図５は、上記タンデムリンギング設定（解除）時の制御部２１の処理手順を示すフローチャートである。図５に示すフローチャートの処理手順は、本実施例ではタンデムリンギング制御プログラム２３として記憶部２２に格納されている。
【００３３】
図５に示すように、制御部２は、電話機１１〜１４のいずれかからタンデムリンギングの設定を行うためのダイヤル操作が行われると（ステップＳ１１）、そのダイヤル操作で送られてくる信号に基づき設定か解除かを判断する（ステップＳ１２）。この判断で、解除（ＮＯ）の場合は、記憶部２２のタンデムリンギング設定テーブル２４から相手のダイヤルデータ及び親機（子機）情報を解除する（ステップＳ１３）。また、設定（ＹＥＳ）の場合、電話機１１〜１４側で設定したい内線番号のダイヤル操作が行われると（ステップＳ１４）、記憶部２２のタンデムリンギング設定テーブル２４を参照して、ダイヤルされた相手の電話機に対しタンデムリンギングの設定が可能かどうかを判断する（ステップＳ１６）。この判断で、可能であれば（ＹＥＳ）、記憶部２２のタンデムリンギング設定テーブル２４に相手のダイヤルデータ及び親機（子機）情報を設定登録し（ステップＳ１６）、可能でなければ（ＮＯ）、ステップＳ１１に戻り同様の処理を繰り返し実行する。
【００３４】
図６は、図４の例によりタンデムリンギング設定テーブル２４に設定されるデータ例を示す。この例では、内線１００番の電話機から内線１０１番の電話機にタンデムリンギング設定要求した場合に設定される内線１００番側の親機データ及び内線１０１番側の子機データの例を示す。この場合、内線１００番に設定される親機データは、親機（子機）情報３１ａが「０」（親機の状態）、タンデム使用状態の情報３２ａが「０」（不使用の状態）、設定相手のダイヤル番号３３が「１０１」（内線１０１番ダイヤルデータ）となる。また、内線１０１番に設定される子機データは、親機（子機）情報３１ｂが「１」（子機の状態）、タンデム使用状態の情報３２ｂが「０」（不使用状態）、設定相手のダイヤル番号３３ｂが「１００」（内線１００番ダイヤルデータ）となる。
【００３５】
次に、タンデムリンギングの動作方法について、図７に示す状態遷移図を用いて説明する。
【００３６】
ここでは、図４に示す処理により内線１００番の電話機１１が親機、内線１０１番の電話機１２が子機としてタンデムリンギングの設定が行われた状態で、内線１０２番の電話機１３から親機である内線１００番の電話機１１を呼び出し、その応答を子機である内線１０１番の電話機１２側で行う場合を説明する。
【００３７】
まず、内線１０２番の電話機１３が内線１００番の電話機１１を呼び出すと、その１００番呼出信号が制御部２１に送られる（ステップＳ２１）。制御部２１は、１００番呼出信号を受信すると、鳴動信号を内線１００番の電話機１１に通知する（ステップＳ２３）。これにより、内線１００番の電話機１１は鳴動状態となる（ステップＳ２３）。
【００３８】
次いで、制御部２１は、内線１０２番の電話機１３に対し呼出完了通知を送る（ステップＳ２５）。これにより、内線１０２番の電話機１３は呼出状態となる（ステップＳ２５）。
【００３９】
次いで、制御部２１は、内線１００番の電話機１１がタンデムリンギングを設定しているかどうかを記憶部２２のタンデムリンギング設定テーブル２４を参照して判断し（ステップＳ２６）、内線１００番がタンデムリンギング設定されている場合（すなわち親機として設定登録されている場合）、その設定相手のダイヤル番号（すなわち内線１０１番）をもとに内線１０１番の電話機１２に対しても、鳴動信号を通知する（ステップＳ２７）。これにより、親機である内線１００番の電話機１１と共に、子機である内線１０１番の電話機１２が鳴動状態となる（ステップＳ２８）。
【００４０】
図８は、上記タンデムリンギング設定された親機である内線１００番の電話機１１及び子機である内線１０１番の電話機１２の鳴動状態を模式的に示す。この場合、２台の電話機１１、１２が外部からみて１つの内線番号、すなわち内線１００番の電話機１１となる。
【００４１】
上記に対し、子機である内線１０１番の電話機１２が応答しオフフックすると、そのオフフック信号が制御部２１に通知される（ステップＳ２９）。制御部２１は、そのオフフック信号を受信すると、これをイベント通知として、記憶部２２に対しデータ更新通知を行い、タンデムリンギング設定テーブル２４に設定されている子機データ及び親機データのタンデム使用状態の情報３２をそれぞれ更新する（ステップＳ３０、Ｓ３１）。すなわち、子機データ側のタンデム使用状態の情報３２は不使用の状態（例えばコード番号「０」）から自分（子機）が使用中である状態（例えばコード番号「１」）に、また親機データのタンデム使用状態の情報３２は不使用の状態から相手（子機）が使用中である状態（例えばコード番号「２」）にそれぞれ更新される。
【００４２】
上記データ更新後、制御部２１は、応答しなかった親機側の内線１００番の電話機１１に対し鳴動停止通知を行い（ステップＳ３２）、これにより内線１００番の電話機１１の鳴動が停止する。
【００４３】
次いで、制御部２１は、内線１０２番の電話機１３に応答通知を行い（ステップＳ３３）、これにより内線１０２番の電話機１３と内線１０１番の電話機１２とが互いに通話状態となる（ステップＳ３４、Ｓ３４ａ、Ｓ３４ｂ）。
【００４４】
この間、他の電話機、例えば内線Ｎ番の電話機１４から内線１００番の電話機１１を呼び出すと、その１００番呼出信号が制御部２１に送られ（ステップＳ４１）、制御部２１は、その１００番呼出信号を受信すると、話中音信号を内線Ｎ番の電話機１４に返す。すなわち、子機が使用中は、実際には使用されていない親機も使用中の状態と見做され、使用することができない。この場合、内線Ｎ番の電話機１４側の表示器上で内線１００番が「使用中」である旨を表示させてもよい。
【００４５】
その後、通話が終了し、内線１０１番の電話機１２側がオンフックして切断すると、そのオンフック信号が制御部２１に通知される（ステップＳ３５）。制御部２１は、そのオンフック信号を受信すると、これをイベント通知として、内線１０２番の電話機１３に対し切断信号を通知する（ステップＳ３６）。これと同時に、記憶部２２に対しデータ更新通知を行い、タンデムリンギング設定テーブル２４に設定されている子機データ及び親機データのタンデム使用状態の情報３２をそれぞれ更新する（ステップＳ３０、Ｓ３１）。すなわち、子機データ側のタンデム使用状態の情報３２は自分（子機）が使用中である状態（例えばコード番号「１」）から不使用の状態（例えばコード番号「０」）に、また親機データのタンデム使用状態の情報３２は相手（子機）が使用中である状態（例えばコード番号「２」）から不使用の状態（例えばコード番号「０」）にそれぞれ更新される。
【００４６】
以上のように、内線１０２番の電話機１３から内線１００番をダイヤルすると、親機である内線１００番の電話機１１が着信鳴動すると共に、子機である内線１０１番の電話機１２も着信鳴動し、これに対し親機１１または子機１２の一方が応答することにより、他方も鳴動が止まる。また、このようにタンデムリンギング設定によりペアリングされた親機１１及び子機１２において、一方が使用中の場合は他方は使用不可となる。例えば、親機１１が使用中ならば子機１２は使用できず、子機１２が使用中ならば親機１１は使用できない。
【００４７】
従って、本実施例によれば、タンデムリンギングの設定は、ユーザ側で設定したい相手の番号をダイヤルする等の簡単な操作で行うことができ、これにより、１つの内線番号で２台の電話機に着信させることができる。
【００４８】
その他の実施例として、ユーザ側の操作により２つの電話機（端末）で１つの内線番号で着信、応答操作を行うことができる。また、呼出側が子機の内線番号をダイヤルしても受け付けない仕組みにしてもよい。この場合は、それぞれの電話機で記憶部２２のタンデムリンギング設定テーブル２４で保持している内線番号の情報によって、子機であれば着信が来ても着信を不可とするように制御部２１側でプログラム制御することで実現可能である。
【００４９】
なお、上記実施例では、電話番号として内線番号を用いたタンデムリング設定・動作を場合を説明しているが、外線番号（ダイヤルイン）を用いた場合や、サブアドレスを用いた電話番号（「代表番号」＋「＊」＋「内線番号」等）を用いた場合も、同様に実施可能である。
【産業上の利用可能性】
【００５０】
本発明は、主装置及びこれに接続される複数の電話機を備え、主装置により複数の電話機間で内線通話を行えるシステムの用途に適用できる。
【図面の簡単な説明】
【００５１】
【図１】本発明の実施例に係るキーテレホンシステムの装置構成を示す概略ブロック図である。
【図２】タンデムリンギング設定テーブルのメモリ構造を説明する図である。
【図３】タンデムリンギング設定テーブルの設定データを説明する図である。
【図４】タンデムリンギングの設定方法を説明する状態遷移図である。
【図５】タンデムリンギング設定時の制御部による処理シーケンスを説明する概略フローチャートである。
【図６】図４で設定されるタンデムリンギング設定テーブルの設定例を示す図である。
【図７】タンデムリンギングの動作方法を説明する状態遷移図である。
【図８】タンデムリンギング設定された親機及び子機の着信鳴動を説明する概略図である。
【符号の説明】
【００５２】
１０  主装置
１１〜１４  電話機
１５  無線基地局
１６  ＰＨＳ端末
２０  通話路
２１  制御部
２２  記憶部
２３  タンデムリンギング制御プログラム
２４  タンデムリンギング設定テーブル
３１  親機（子機）情報
３２  タンデム使用状態の情報
３３  設定相手のダイヤル番号
【図１】
2005117158.tif 000003
【図２】
2005117158.tif 000004
【図３】
2005117158.tif 000005
【図４】
2005117158.tif 000006
【図５】
2005117158.tif 000007
【図６】
2005117158.tif 000008
【図７】
2005117158.tif 000009
【図８】
2005117158.tif 000010